【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
通話（２３）に関係する少なくとも１つのメッセージ（２１）の少なくとも１つのセルベースの統計情報（２７）を提供する方法（２００）において、
メッセージカバレージエリア（２２）内への前記少なくとも１つのメッセージ（２１）を受信する段階と、
前記少なくとも１つのメッセージ（２１）を、前記少なくとも１つのメッセージ（２１）が関係付けられている前記通話（２３）とリンクする段階と、
前記少なくとも１つのメッセージ（２１）と関連付けられている無線リンク（８６）を判定する段階と、
データレコードが前記無線リンク（８６）用にまだ確立されていない場合に、前記無線リンク（８６）に関係するデータレコード（２６）を生成する段階と、
前記少なくとも１つのメッセージ（２１）及び前記メッセージカバレージエリア（２２） と関連付けられている、前記少なくとも１つのセルベースの統計情報（２７）を、前記データレコード（２６）に提供する段階と
を有することを特徴とする方法（２００）。
【請求項２】
品質情報（２７Ａ）を前記データレコード（２６）に提供する段階と、
メッセージカバレージエリア情報（２７Ｂ）を前記データレコード（２６）に提供する段階と、
前記少なくとも１つのセルベースの統計情報（２７）の計測結果（２７Ｃ）を前記データレコード（２６）に提供する段階と、
前記少なくとも１つのメッセージ（２１）が処理された際に、前記メッセージカバレージエリア（２２）と関連付けられているメッセージカウント（２７Ｄ）を増分する段階と
を更に有することを特徴とする請求項１ 記載の方法（２００）。
【請求項３】
前記受信段階は、
前記メッセージカバレージエリア（２２）と関連付けられた少なくとも１つのインターフェイス（９２）を監視して前記少なくとも１つのメッセージ（２１）を検出する段階と、
前記少なくとも１つのメッセージ（２１）から、前記少なくとも１つのメッセージ（２１）が関連付けられている前記通話（２３）を判定する段階と、
前記通話（２３）から前記少なくとも１つのセルベースの統計情報（２７）を判定する段階と
を有することを特徴とする請求項１ 記載の方法（２００）。
【請求項４】
同一の通話（２３）に関係するメッセージ（２１）の少なくとも１つのセルベースの統計情報（２７）を提供するシステム（１００）において、
少なくとも１つのインターフェイス（９２）を通じてメッセージカバレージエリア（２２）内への少なくとも１つのメッセージ（２１）を受信する能力を有するセルメッセージレシーバ（１１）と、
前記受信した少なくとも１つのメッセージ（２１）が前記メッセージカバレージエリア（２２）内のその他のメッセージ（２１）と関連付けられた前記通話（２３）の一部である場合に、前記受信した少なくとも１つのメッセージ（２１）を前記その他のメッセージ（２１）にリンクする能力を有するメッセージ通話リンカ（１３）と、
前記受信した少なくとも１つのメッセージ（２１）と関連付けられている無線リンク（８６）を判定する能力を有する無線リンクファインダ（１５）と、
前記無線リンク（８６）と関連付けられているデータレコード（２６）を生成する能力を有するデータレコードクリエータ（１７）と、
前記データレコード（２６）内において、前記少なくとも１つのセルベースの統計情報（２７）を提供する能力を有するデータレコードポピュレータ（１９）であって、前記セルベースの統計情報（２７）は、前記受信した少なくとも１つのメッセージ（２１）及び前記メッセージカバレージエリア（２２）と関連付けられている、データレコードポピュレータ（１９）と
を有することを特徴とするシステム（１００）。
【請求項５】
前記データレコードポピュレータ（１９）は、前記少なくとも１つのセルベースの統計情報（２７）に関する情報を前記データレコード（２６）に提供することを特徴とする請求項４ 記載のシステム（１００）。
【請求項６】
前記セルメッセージレシーバ（１１）は、前記受信した少なくとも１つのメッセージ（２１）が処理された際に、メッセージカバレージエリア（２２）と関連付けられているメッセージカウント（２７Ｄ）を増分する能力を有することを特徴とする請求項４ 記載のシステム（１００）。
【請求項７】
前記データレコード（２６）にアクセスし、図の形態において前記少なくとも１つのセルベースの統計情報（２７）を提供する能力を有するセルベースの統計情報プロセッサ（２８）を更に有することを特徴とする請求項４ 記載のシステム（１００）。
【請求項８】
前記図は、表形式の図、無線リンクセットアップ図（２０）、ビットレート図（３０）、セルベースのＳＩＲ（Ｓｉｇｎａｌ−ｔｏ −Ｉｎｔｅｒｆｅｒｅｎｃｅ  Ｒａｔｉｏ）、ＱＥ（Ｑｕａｌｉｔｙ  Ｅｓｔｉｍａｔｅ）、ＣＲＣＩ（Ｃｙｃｌｉｃ  Ｒｅｄｕｎｄａｎｃｙ  Ｃｈｅｃｋｓｕｍ  Ｉｎｄｉｃａｔｏｒ） 図（４０）、及び専用計測分析図（５０）を含むことを特徴とする請求項７記載のシステム。
【請求項９】
請求項１記載の方法（２００）をコンピュータ（８５）に実行させる能力を有するコードを具備することを特徴とするコンピュータ可読媒体（８１）。
【請求項１０】
請求項１記載の方法（２００）を実行するために、コンピュータ（８５）を通信ネットワーク（８４）に電子的に接続させることが可能な構成を伝える、前記通信ネットワーク（８４）上を伝播する電磁信号として実施されていることを特徴とするコンピュータ信号。
【請求項１１】
同一の通話（２３）に関係する少なくとも１つのメッセージ（２１）の少なくとも１つのセルベースの統計情報（２７）を提供するシステム（１００）において、
メッセージカバレージエリア（２２）内への前記少なくとも１つのメッセージ（２１）を受信する手段と、
前記少なくとも１つのメッセージ（２１）を、前記少なくとも１つのメッセージ（２１） が関連付けられている前記通話（２３）とリンクする手段と、
前記少なくとも１つのメッセージ（２１）と関連付けられている無線リンク（８６）を判定する手段と、
データレコード（２６）が前記無線リンク（８６）用にまだ確立されていない場合に、前記無線リンク（８６）と関係するデータレコード（２６）を生成する手段と、
前記少なくとも１つのメッセージ（２１）及び前記メッセージカバレージエリア（２２） と関連付けられている、前記少なくとも１つのセルベースの統計情報（２７）を、前記データレコード（２６）に提供する手段と
を有することを特徴とするシステム（１００）。
【請求項１２】
品質情報（２７Ａ）を前記データレコード（２６）に提供する手段と、
メッセージカバレージエリア情報（２７Ｂ）を前記データレコード（２６）に提供する手段と、
前記少なくとも１つのセルベースの統計情報（２７）の計測結果（２７Ｃ）を前記データレコード（２６）に提供する手段と、
前記少なくとも１つのメッセージ（２１）が処理される際に、前記メッセージカバレージエリア（２２） と関連付けられているメッセージカウント（２７Ｄ）を増分する手段と
を更に有することを特徴とする請求項１１記載のシステム（１００）。
【請求項１３】
前記受信手段は、
前記メッセージカバレージエリア（２２）と関連付けられている少なくとも１つのインターフェイス（９２）を監視して前記少なくとも１つのメッセージ（２１）を検出する手段と、
前記少なくとも１つのメッセージ（２１） から、前記少なくとも１つのメッセージ（２１）が関連付けられている前記通話（２３）を判定する手段と、
前記通話（２３）から、前記少なくとも１つのセルベースの統計情報（２７）を判定する手段と
を更に有することを特徴とする請求項１１記載のシステム（１００）。